(57)【要約】【課題】収納家具のコ−ナ−配列部を構成する収納家具部材の構造を簡素化し、かつコ−ナ−部の収納容積を向上させ、収納作業性ならびに配列の意匠性を向上させることを課題とするものである。【解決手段】コ−ナ−部の両翼部に平面視方形の収納家具を配し、コ−ナ−頂点部には、前記平面視方形の収納家具の側部に一辺を接して、出隅側に収納開口を備えた平面視略三角形もしくは台形の収納家具を組み合せ配置してコ−ナ−部を形成した収納家具配列とするものである。これにより、入隅側、出隅側の両面から収納開口を設けることができ、収納有効容積が増大するととも、収納家具部材の構造は簡素化される。【選択図】図１
2005168867.tif 000002
【特許請求の範囲】
【請求項１】
複数の収納家具で構成される収納家具配列のコーナー部に配置する収納家具にあって、平面視略台形もしくは略三角形の底辺位置に収納開口を備えたコーナー用収納家具。
【請求項２】
収納開口に開閉自在の扉を備え、前記扉は隣接する収納家具に有した扉と同じ化粧処理を備えた請求項１に記載のコーナー用収納家具。
【請求項３】
台形もしくは略三角形の上辺もしくは頂点部は、隣接する収納家具に備えた扉の開閉における回動もしくは直動軌跡の干渉を回避する寸法に形成した請求項１または２に記載のコーナー用収納家具。
【請求項４】
前記略台形の上辺もしくは略三角形の頂点部に、隣接する収納家具に備えた扉と同じ化粧処理を備えた請求項１〜３のいずれか１項に記載のコーナー用収納家具。
【請求項５】
両翼部に平面視略方形の収納家具を配置し、コ−ナ−部には、請求項１〜４に記載のコーナー用収納家具を１個または複数個配置してコ−ナ−部を形成したコーナー用収納家具の配列方法。
【請求項６】
コ−ナ−部の中位角度方向に平面視略方形の収納家具を配置し、前記収納家具の両側部に隣接して、請求項１〜４に記載のコーナー用収納家具を配置してコ−ナ−部を形成したコーナー用収納家具の配列方法。
【請求項７】
コ−ナ−部の中位角度方向に平面視略方形の収納家具を入隅側に収納開口を設けて配置し、前記略方形の収納家具の背面に当接して、出隅側に収納開口を設けた収納家具を配置し、前記収納家具の少なくともいずれかの両側部に隣接して、請求項１〜４に記載のコーナー用収納家具を配置してコ−ナ−部を形成したコーナー用収納家具の配列方法。
【発明の詳細な説明】
【技術分野】
【０００１】
本発明は、住宅居室や厨房室等にあって、物品を出し入れ収納する家具やシステムキッチン等の収納キャビネットとこの配列方法に関するものである。
【背景技術】
【０００２】
従来この種の収納の形態としては、収納家具・システムキッチン等がＬ字形や鈍角コ−ナ−の配列をなす場合に、平面断面が略Ｌ字形をなす収納キャビネットを配し、この入隅部に収納開口を設け、収納キャビネット内部に棚装置あるいは、収納キャビネット内外に移動自在なワゴン装置を備えていた（例えば、特許文献１参照）。
【０００３】
図９に示すように、収納キャビネット１は、平面がＬ字形状の入隅部を開口部１ａとし、前記開口部１ａの左右に備えた側板１ｂ・１ｃと、開口部１ａに対峙して背面側に後板１ｄ・１ｅが９０度直交するようにして出隅部を形成して構成されている。一方、ワゴン２は、一体的にＬ字形に形成された扉体２ａと、前記扉体２ａの裏面から奥方の出隅頂点側へ延出し奥行端が前記の直交した後板１ｂ・１ｃに沿った形状に斜めに形成された複数段の物品載置棚２ｂと、複数個のキャスタ−により構成され、開口部１ａより出し入れ自在に移動可能としている。さらに、ワゴン２が格納状態にあって、該ワゴン２の両側には、収納キャビネット１の側板１ｂ、１ｃと後板１ｄ、１ｅとワゴン２の側方により挟まれる三角形空間にスライドラック３を設け、前記開口部１ａよりスライド自在に構成し、この収納キャビネット側板１ｂ、１ｃに対して隣接収納キャビネット４を連結固定し、前記後板１ｄ、１ｅを壁面５に接して居室内に設置されている。
【０００４】
また、家族の団らんを主眼に置き、複数人が同時に作業台に向かうことを可能にするために、異型平面の作業天板に沿ってその下部に備えた厨房家具を、平面断面が異型になるように厨房装置を構成している例も見られる（例えば、特許文献２参照）。
【０００５】
図１０では、水槽６とコンロ７を配置した作業台天板８が山形の膨出部８ａを備え、作業台の対面側は直線的に形成し、この作業台天板８下部に、異型平面断面の収納部９を備えている。
【特許文献１】特開２００２−２８０３９号公報
【特許文献２】実開平４−１１０５４２号公報
【発明の開示】
【発明が解決しようとする課題】
【０００６】
しかしながら、図９に示す従来例では、収納キャビネット１内のＬ字形空間のほぼすべてを収納に使用可能ならしめる効果は有しているものの、出し入れ収納時の使用開口面がＬ字形平面の狭い入隅部のみに設けられており、幅の狭小なワゴン２と、前記ワゴン２を引き出した後に前記ワゴン２の両側に備えたスライドラック３を手前側に引き出す動作を必要とする、複雑で大形かつコストの高い構成になっている。近年多く見られるシステムキッチンや収納家具の設置配列にあって、厨房・居室空間の一壁面に沿った範囲から空間中央部に向かって作業台や収納家具が延出するＬ字形半島形の対面式配列に前記の隅用収納家具システムを用いた場合、Ｌ字形部での収納作業性は、入隅部からの出し入れ作業しか行えず、対面側から出し入れ収納が不可能であるため利便性に劣るものである。
また、図１０に示す従来例では、作業台天板８の下部に配置する収納部９は、通常、平板部材を多角形平面に組み合せた複雑な構成の収納キャビネットに構成せざるを得ず、多角形平面の形成精度が低く、大型で重量が大きいキャビネットとなり、コストアップになり搬送性も劣るものである。
【課題を解決するための手段】
【０００７】
前記従来の課題を解決するために、本発明のコーナー用収納家具は、平面視略三角形もしくは略台形からなり、出隅側に収納開口を備えて、隣接する平面視略方形の収納家具と組み合せて、コ−ナ−部の曲がり部を形成するものである。
【発明の効果】
【０００８】
以上説明したように本発明によれば、平面視略三角形もしくは略台形のコ−ナ−用収納家具を出隅側に収納開口を設けて、コ−ナ−部を形成することにより、収納有効容積が増大するとともに収納作業性は各段に向上し、収納家具配列もコンパクトに構成できる効果がある。また、コ−ナ−部の曲がりを形成する本発明のコーナー用収納家具は、平面視略三角形もしくは略台形の簡単な構成とすることにより、従来の複雑な異型平面の大型キャビネットを必要とせず、三角形もしくは台形の斜辺と底辺がなす角度を変更するのみでよく、生産性、搬送性、現場においての施工性共にシンプルな形態とすることができる。さらに、コ−ナ−部の曲率や曲がり角度に応じて、コーナー用収納家具の数量を自在に選択することで、収納家具配列が形成でき、システム性はより優れたものとなる。
【発明を実施するための最良の形態】
【０００９】
第１の発明は、複数の収納家具で構成される収納家具配列のコーナー部に配置する収納家具にあって、平面視略台形もしくは略三角形の底辺位置に収納開口を備えたコーナー用収納家具とするものである。
【００１０】
これにより、三角形もしくは台形の斜辺部の角度を任意に選択するのみで、曲がり角度が任意に選択してコ−ナ−部が形成でき、さらにコ−ナ−部の出隅側に収納開口を有した収納家具が備わり、収納家具配列が対面式にあっては、収納容積の大きい利便性に優れたコ−ナ−部の収納家具配列が提供できる。
【００１１】
第２の発明は、特に、第１の発明の収納開口に開閉自在の扉を備え、前記扉は隣接する収納家具に有した扉と同じ化粧処理を備えたコーナー用収納家具とするものである。
【００１２】
これにより、収納家具配列が対面式の場合において、出隅側に隣接する収納家具の扉と調和した化粧処理が形成されるので、収納家具のコ−ナ−部配列の出隅側デザイン性が優れたものとなる。
【００１３】
第３の発明は、特に第１または第２の発明の台形もしくは略三角形の上辺もしくは頂点部は、隣接する収納家具に備えた扉の開閉における回動もしくは直動軌跡の干渉を回避する寸法に形成したコーナー用収納家具とするものである。
【００１４】
これにより、隣接する収納家具を相互に連結配置する作業のみで、コ−ナ−部において最小の曲がりを精度高く、扉が干渉することがなく容易に設置工事できるものとなる。
【００１５】
第４の発明は、特に、第１〜３のいずれか１つの発明の前記略台形の上辺もしくは略三角形の頂点部に、隣接する収納家具に備えた扉と同じ化粧処理を備えたコーナー用収納家具とするものである。
【００１６】
これにより、入隅側に隣接する収納家具の扉と調和した化粧処理が形成され、かつ隣接する収納家具に備えた扉と組み合わせて、平面視がより滑らかな曲がり角度をなす入隅部の外観が形成できるのでデザイン性に優れたものとなる。
【００１７】
第５の発明は、両翼部に平面視略方形の収納家具を配置し、コ−ナ−部には、第１〜４の発明のコーナー用収納家具を１個または複数個配置してコ−ナ−部を形成するものである。
【００１８】
これにより、コ−ナ−部の収納家具配列は、平面視略三角形もしくは略台形のコ−ナ−用収納家具を必要数用いるのみで、曲がり角度が任意にシンプルに選択構成でき、生産性、施工性ともに簡単な構成となりコスト低減が図られ、あわせて出隅側に収納空間を提供することが可能となる。
【００１９】
第６の発明は、コ−ナ−部の中位角度方向に平面視略方形の収納家具を配置し、前記収納家具の両側部に隣接して、第１〜４の発明のコーナー用収納家具を配置してコ−ナ−部を形成したものである。
【００２０】
これにより、入隅側もしくは出隅側から広幅の収納開口を備えてコ−ナ−部の中間に収納家具を形成でき、緩やかな曲がりを形成する配列の場合でも、簡単な構造の収納家具を組み合せるだけでよく、施工性や収納家具部材の生産性が向上する。
【００２１】
第７の発明は、コ−ナ−部の中位角度方向に平面視略方形の収納家具を入隅側に収納開口を設けて配置し、前記略方形の収納家具の背面に当接して、出隅側に収納開口を設けた収納家具を配置し、前記収納家具の少なくともいずれかの両側部に隣接して、第１〜４の発明のコーナー用収納家具を配置してコ−ナ−部を形成したものである。
【００２２】
これにより、入隅側と出隅側双方に背向して収納家具を配することで、コ−ナ−部の奥行が広い場合でも有効な収納空間を提供でき、対面式の収納家具配列にあっては、収納量、収納性ともに利便性が優れたものとなる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態におけるコ−ナ−用収納家具配列の平面断面図、図２は、本形態に用いるコ−ナ−用収納家具の要部詳細平面図である。
【００２５】
図１に示すように、９０度Ｌ字形に曲がりをなす収納家具配列のコ−ナ−部の両翼に当たる直線部には、平面視方形の収納家具１１および１２が入隅側を収納開口として配置されている。収納家具１１・１２はそれぞれ左右一対の側板１１ａ・１２ａ、後板１１ｂ・１２ｂ、前幕板１１ｃ・１２ｃ、および底板と天板（図示せず）により立方体に構成され、前幕板１１ｃ・１２ｃ下方に収納開口１１ｄ・１２ｄを設け、この前面を覆うように扉１１ｅ・１２ｅが、前記側板１１ａ・１２ａのいずれか一方に支点を有して開閉自在に備えられている。
【００２６】
さらに収納家具１１・１２の庫内には、複数段の棚１１ｆ・１２ｆが棚受け１１ｇを介して支持されるとともに、前記後板１１ｂ・１２ｂの外面には、前記扉１１ｅに意匠統一された化粧板１３・１４を固定具備している。
【００２７】
これら収納家具１１・１２に隣接して、コ−ナ−部の頂点寄りには、平面視略三角形をなすコーナー用収納家具１５が出隅側を収納開口として２個連結配置され、コ−ナ−部の曲がりを形成している。コーナー用収納家具１５は、左右一対の側板１５ａ、三角形頂点部位置に少許の直線部を有した押出し樹脂成型品になる後ろ部材１５ｂ、この後ろ部材１５ｂの対向位置に前幕板１５ｃ、および底板と天板（図示せず）を相互に締結固定組立して略三角柱体に構成され、前幕板１５ｃ側に収納開口１５ｄを設け、この前面を覆うように扉１５ｅが、前記側板１５ａのいずれか一方に支点を有して開閉自在に備えられている。また、コーナー用収納家具１５の庫内には、概ね三角形平面の複数段の棚１５ｆが棚受け１１ｇを介して支持されている。
【００２８】
さらに、コ−ナ−部の中位角度となる斜め約４５度方向には、平面視方形の収納家具１６が入隅側を収納開口として、前記の平面視略三角形になる２つのコーナー用収納家具１５に挟まれて配置されている。収納家具１６は、収納家具１１（１２）と同様に、左右一対の側板１６ａ、後板１６ｂ、前幕板１６ｃ、および底板と天板（図示せず）により立方体に構成され、前幕板１６ｃの下方に収納開口１６ｄを設けている。さらに収納家具１６の庫内には、複数段の棚を有して前記収納開口１６ｄより引き出し自在とし、前面に扉１１ｅ等と意匠統一された前板１６ｅが支持固定されたスライドラック１６ｆを設けている。また、前記後板１６ｂの外面には、平面視略三角形になるコーナー用収納家具１５の扉１５ｅに意匠統一された化粧板１７を固定具備している。
【００２９】
以上の構成になる収納家具１１、１２は、隣接して収納家具４を設置し、コーナー用収納家具１５および収納家具１６とともに、作業台天板８を載せ、例えば厨房用システムキッチンのＬ字の調理台配列を形成している。
【００３０】
以上のように構成された収納家具配列について、以下その動作、作用を説明する。
【００３１】
収納家具配列のＬ字コ−ナ−部に、生産組立構成がシンプルな平面視方形あるいは略三角形になるコ−ナ−用収納家具を組み合せ配置することに、所定の曲がりを有した作業台天板下の収納空間が形成でき、かつ、コ−ナ−部の出隅、入隅側ともに広幅の収納開口を有した収納空間が提供できるので、本実施の形態になる対面式収納家具配列にあっては、空間活用性が極めて高いものになる。また、２箇所に用いた平面視略三角形のコーナー用収納家具１５は、相互に共通の筐体構造をなし、扉１５ｅの左右勝手を変更するのみでよく、生産性が極めて高くなる。
【００３２】
さらに、図２に示すように、本実施の形態になる平面視略三角形のコーナー用収納家具１５に用いた後ろ部材１５ｂは、コーナー用収納家具１５の略三角形平面の入隅頂点を少許面取りする形状にて、寸法Ａの直線部を設けており、これにより隣接する収納家具１１と１６あるいは１２と１６に備わる扉１１ｅ、１２ｅと前板１６ｅの最前面の角部アとイの干渉が回避でき、収納家具１１もしくは１２と隣接するコーナー用収納家具１６を位置合わせして相互に連結固定設置する簡単な作業のみで、入隅側に発生し得る収納家具同志の不用意な干渉当接を防止しており、コ−ナ−部の曲がりを形成する際の施工精度は高いものが得られる。また、該後ろ部材１５ｂは、樹脂製の押出し成型によるものであり、生産性も高く、部品精度も単体で高いレベルを有しており、加えて表面の加飾性も良好であり、収納家具に用いるものとして好適である。
【００３３】
なお、本実施の形態では、コ−ナ−部の曲率の大小により、中位角度位置に平面視方形の収納家具１６を配置し、その両側に平面視略三角形のコーナー用収納家具１５を配置して９０度の曲がりを形成したが、平面視略三角形の替わりに、所定の上辺長さを有した平面視略台形のコーナー用収納家具を複数個隣接配置して、曲がり部を形成してもよい。
【００３４】
また、中位角度位置の収納家具１６は、入隅側に収納開口を配置したが、平面視略三角形のコーナー用収納家具１５と同じく出隅側に収納開口を設けて配置してもよい。
【００３５】
（実施の形態２）
図３は、本発明の第２の実施の形態におけるコ−ナ−用収納家具配列を背面上方から見下ろした外観斜視図、図４は、同収納家具配列の平面断面図、図５は、同収納家具配列の平面分解図である。
【００３６】
本実施の形態において、実施の形態１と異なる点は、コ−ナ−部の中位角度方向の収納家具に物品載置ワゴンを格納し、この格納家具背面に出隅側に収納開口を有する収納家具を配置していることである。
【００３７】
平面視９０度Ｌ字形になる収納家具配列のコ−ナ−部の両翼寄りに、平面視三角形のコーナー用収納家具２１、２２を配置し、入隅と出隅頂点を結ぶ９０度Ｌ字形の中位角度となる略４５度方向に、コーナー用収納家具２１、２２の各々１辺に接して、入隅部より出し入れ移動自在になる物品収納ワゴン２３を格納してなる平面視略方形の収納家具としてワゴン格納部２４を配置し、さらに、前記ワゴン格納部２４の最奥面に背面を接して、Ｌ字形平面の出隅頂点部に、出隅側に収納開口を設けた平面視三角形の収納家具２５を配置している。
【００３８】
コーナー用収納家具２１は、側板２１ａ、後板２１ｂ、複数段の三角形平面の棚２１ｃにより平面視三角形に構成され、後板２１ｂの一端側には、隣接収納家具との連結板２１ｄを設けている。
【００３９】
またコーナー用収納家具２２は、前幕板２２ａ、側板２２ｂ、後板２２ｃにより平面視三角形に構成され、前幕板２２ａの一端側には、隣接収納家具との連結板２２ｄ、該下方には収納開口２２ｅを備えている。コーナー収納家具２２内には、複数段の三角形平面の棚２２ｆと底部に複数個設けたキャスタ−２２ｇと、前記収納開口２２ｅを覆う前板２２ｈにより構成され、前記側板２２ｂに設けたスライドレ−ル２２ｉにガイドされ、収納開口２２ｅを通して直動往復引き出し自在になる収納ラック２２ｊを備えている。
【００４０】
物品収納ワゴン２３は、複数段の棚２３ａおよび入隅側収納開口２６を略全面覆う前板２３ｂおよびハンドル２３ｃと底部に複数個のキャスター２３ｄを有している。
【００４１】
出隅頂点部の収納家具２５は、前幕板２５ａ、側板２５ｂ、後板２５ｃにより平面視三角形に構成され、前幕板２５ａの下方には収納開口２５ｄを設け、収納家具２５内部には複数段の三角形平面になる棚２５ｅを備えている。また、側板２５ｂと後板２５ｃの間および前幕板２５ａと後板２５ｃの間には、隣接収納家具との連結板２５ｆ・２５ｇを備えている。さらに、前記収納開口２５ｄを覆い、支点を側板２５ｂに有して開閉自在になる扉２５ｈが、コ−ナ−用収納家具２２の収納ラック２２ｊの前板２２ｈと意匠統一されて備えられている。
【００４２】
以上３つの収納家具２１、２２、２５は、各収納家具の連結板２１ｄと２５ｆ、２２ｄと２５ｇ同志を接合し、さらに前幕板２６ａによって収納家具２１と２２を相互に連結固定されている。
【００４３】
コ−ナ−部中位角度方向に配した収納家具としてのワゴン格納部２４は、コーナー用収納家具２１の三角形平面の棚２１ｃの前縁と、コーナー用収納家具２２の後板２２ｃおよび収納家具２５の後板２５ｃにより囲まれる空間で方形に形成され、前幕板２６ａの下方に入隅側収納開口２６を有してワゴン２３を出し入れ自在としている。
【００４４】
以上のように構成されたコ−ナ−部の収納家具配列は、両翼部の収納家具１１・１２およびコ−ナ−部に隣接する収納家具４と連結固定され、収納家具２１、２５の一端側を壁面５に接して固定設置されている。
【００４５】
以上のように構成された収納家具配列について、以下その動作、作用を説明する。
【００４６】
収納家具配列がなすＬ字形平面のコ−ナ−部に、平面視略方形になるワゴン２３が入隅の収納開口２６より斜めに格納されるために生じる３箇所の三角柱平面空間は、内２箇所が出隅側からの収納開口２２ｅ、２５ｄを有した収納家具２２、２５によりデッドスペ−スになることなく、収納出し入れ性も優れた収納空間として構成される効果を有する。特に、コーナー用収納家具２２に備えた直動往復引き出し自在になる収納ラック２２ｊは、ワゴン格納部２４と両翼部の収納家具１２に挟まれる三角柱空間のほぼ全てが収納空間として活用可能で、特に三角形平面の鋭角先端部は、収納開口２２ｅから遠い位置にあるが故に収納作業性が劣ることを解消しており、本実施の形態になる対面式収納家具配列にあっては、対面側の収納有効容積が格段に増加し好適である。
【００４７】
また、収納家具２５は、入隅側収納開口２６からは手の届く範囲ではなく、この空間を出隅側から物品出し入れ可能な収納家具とすることにより、本実施の形態になる対面式収納家具配列にあっては、出隅、入隅の両側が無駄なく収納容積として有効であり好適である。
【００４８】
さらに、平面視三角形の概ね構造が簡単な収納家具２１、２２、２５の組み合せ配列によるだけで、Ｌ字形コ−ナ−部にワゴン２３およびその格納部２４を備えた収納家具配列が形成でき、複雑な構造の大型キャビネットを形成することなく、収納キャビネットの生産性は向上し、加えて施工時等のキャビネット搬送入性が各段に向上する。さらに、図４に示す場合と左右勝手が反転する収納家具配列の場合も、収納家具の構造が簡素化されており、左右勝手が反転する構造体の製作は容易でありより好適である。
【００４９】
（実施の形態３）
図６は、本発明の第３の実施の形態におけるコ−ナ−用収納家具配列の平面図である。
【００５０】
本実施の形態において、実施の形態１、２と異なる点は、コ−ナ−部の曲がり角度が小さい場合などに、収納部を備えたコーナー用収納家具の替わりに収納部を持たないコーナー用収納家具を用いた点にある。
【００５１】
図６に示すように、鈍角に曲がりをなす収納家具配列のコ−ナ−部の両翼に当たる直線部には、実施の形態１と同様の平面視方形の収納家具１１、１２が入隅側を収納開口として配置されている。
【００５２】
これら収納家具１１、１２に隣接して、コ−ナ−部の頂点寄りには、平面視略三角形をなすコーナー用収納家具３１が出隅側を底辺とする略三角形平面に構成されて２個連結配置され、コ−ナ−部の曲がりを形成している。コーナー用収納家具３１は、左右一対の側板３１ａと、三角形頂点部位置に少許の直線部を有した押出し樹脂成型品になる後ろ部材３１ｂと、この後ろ部材３１ｂの対向位置に設けた前板３１ｃを相互に締結固定組立して略三角柱の枠体に構成され、前板３１ｃ側には、この前面を覆い、収納家具１１、１２出隅面の化粧板１４、１７と意匠統一された化粧板３２が備えられている。
【００５３】
なお、第１の実施の形態と同一符号のものは同一構造を有し、説明は省略し、以上のように構成された収納家具配列について、以下その動作、作用を説明する。
【００５４】
収納家具配列のＬ字コ−ナ−部に、生産組立構成がシンプルな平面視略三角形になるコーナー用収納家具を必要数組み合せ配置することにより、所定の曲がりを有した作業台天板下の収納空間が形成でき、施工性が極めて高いものになる。また、２箇所に用いた平面視略三角形のコーナー用収納家具３１は、相互に共通の筐体構造をなし、生産性が極めて高くなる利点を有している。
【００５５】
本実施の形態の収納家具配列の場合、コ−ナ−部の曲がり角度が浅いので、収納家具１１と１２の間の空間は鋭角の三角形平面となり、実施の形態１に示すコーナー用収納家具１５とするには、内部が狭小となり物品収納に不適切であるので、収納家具１１と１２の位置決めを正確にすることのみを目的としている。さらに、本実施の形態になる平面視略三角形のコーナー用収納家具３１に用いた後ろ部材３１ｂは、実施の形態１と同様に略三角形平面の入隅頂点を少許面取りする形状にて、寸法Ｂの直線部を設けており、これにより隣接する収納家具１１と１２に備わる扉１１ｅと１２ｅの最前面の両角部の干渉が回避でき、収納家具を位置合わせし相互に連結固定設置するシンプルな作業のみで、入隅側に発生し得る収納家具同志の不用意な干渉当接を防止しており、コ−ナ−部の曲がりを形成する施工精度は高いものが得られる。
【００５６】
（実施の形態４）
図７は、本発明の第４の実施の形態における収納家具配列の平面断面図、図８は、本形態に用いる収納家具の要部詳細平面図である。
【００５７】
本実施の形態において、実施の形態３と異なる点は、平面視略台形のコーナー用収納家具に挟まれるコ−ナ−部の中位角度方向に、入隅・出隅側にそれぞれ背面対向して収納家具を２個配置した点にある。
【００５８】
鈍角に曲がりをなす収納家具配列のコ−ナ−部の両翼部には、実施の形態１と同様の構成をなす収納家具１１、１２を配置し、該側板１１ａ、１２ａの一部奥行長さを有してこれに接して、平面視略台形になるコーナー用収納家具３３を配列し、コ−ナ−部の中位角度方向には、前記コ−ナ−用収納家具３３に挟まれるようにして、入隅側に収納開口を有した平面視方形の収納家具３４と、前記収納家具３４の背面およびコーナー用収納家具３３の１辺を接して出隅側に収納開口を有した収納家具３５を配列している。
【００５９】
コーナー用収納家具３３は、側板３３ａと該側板３３ａの一端側で直交する前板３３ｂと頂点部に位置する後ろ部材３３ｃにより、台形斜辺部を開放する略枠状に形成されている。後ろ部材３３ｃは、実施の形態１に示す略三角形平面の収納家具１５の後ろ部材１５と同様に、台形平面の頂点部位置に少許の直線部を有した断面になる樹脂押出し成型品により形成されている。
【００６０】
一方、前記コーナー用収納家具３３に挟まれて、コ−ナ−部の入隅側に収納開口を持つ収納家具３４は、実施の形態１に示す収納家具１６と同様に、側板３４ａ、後板３４ｂ、前幕板３４ｃおよび底板と天板により立方体に形成され、収納開口３４ｄを覆う前板３４ｅを備えた引出し自在になる物品収納ラック３４ｆを備えている。
【００６１】
さらに、前記コーナー用収納家具３３の後ろ部材３３ｃの台形上辺側には、隣接する収納家具１１、１２の扉１１ｅ、１２ｅと収納家具３４の前板３４ｅに合わせて意匠選択された化粧板３３ｄが、前記扉１１ｅ、１２ｅから前板３４ｅに到り、前面が滑らかに折れ曲がり面を形成するような角度を有して支持固定されている。
【００６２】
さらに、コ−ナ−の出隅側にあって、平面視略方形をなし収納開口側の一辺がコ−ナ−の出隅側曲面を形成する収納家具３５は、一対の側板３５ａと後板３５ｂ、複数段の固定棚３５ｃおよび底板と天板により、収納開口３５ｄを開放したオ−プンキャビネットとして構成され、前記側板３５ａは、収納家具１１、１２と接し、後板３５ｂは、コーナー用収納家具３３および入隅側収納家具３４の後板３４ｂと接して配置されている。
【００６３】
なお、第１の実施の形態と同一符号のものは同一構造を有し、説明は省略し、以上のように構成された収納家具配列について、以下その動作、作用を説明する。
【００６４】
コ−ナ−部の曲率が大きく、かつコ−ナ−部の両翼収納家具の奥行が深い場合などに、本実施の形態のように、収納家具をコ−ナ−頂点部の奥行方向に２分し相互に背面対向して配置することにより、入隅・出隅の両側に幅広の収納開口を有しかつ奥行が収納出し入れ性に適切な収納家具が形成でき、収納作業性を高めることができる。また収納家具としては、実使用上狭小となり、収納出し入れ性に劣る空間は、収納家具を備えないコーナー用収納家具３３として簡素な構造をなす部材により、隣接する収納家具１１、１２、３４、３５の配置位置決めを確実にすることができ、施工性についても優れたコ−ナ−部の形成ができる。さらに、コーナー用収納家具３３の略台形頂点部に化粧板３３ｄを設けることにより、収納家具の扉１１ｅ、１２ｅと収納家具の前板３４ｅとコーナー用収納家具の化粧板３３ｄが、入隅側の滑らかな折れ曲がり面を形成しており、曲率の大きいコ−ナ−部の外観意匠性は、より良好なものとなる。
【００６５】
また、特にコ−ナ−頂点部は、平面視方形の収納家具３４と、構造の簡素なオ−プンキャビネットになる収納家具３５と、部品点数の少ないコーナー用収納家具３３のみで、曲面と斜辺の組み合せになる平面形状の形成が可能であり、施工性、搬送性あるいは各収納家具、離隔形成部材の生産性に優れることは述べるまでもない。また、コーナー用収納家具３３は、同一の部材を天地反転使用することにより、左右２箇所に配置しており、コーナー用収納家具３３の生産性は優れたものになっている。
【００６６】
なお、本実施の形態においては、出隅側の収納家具３５を、出隅面が単一の曲面をなすオ−プンキャビネットとしたが、少許の多角形構造に形成し扉を備えてもよい。
【００６７】
また、実施の形態１から４に記載したコーナー用収納家具はそれぞれの実施の形態において、複数個が共通のものとしたが、コ−ナ−部の平面形状によっては、各コーナー用収納家具を別体のものとしても何等差し支えなく、任意の曲がりを有したコ−ナ−部に対して、コーナー用収納家具の三角形平面形状を自在に選択可能である。
【産業上の利用可能性】
【００６８】
以上のように、本発明にかかる組み合せ式収納家具配列は、コ−ナ−配列部に、平面視略三角形もしくは略台形からなり、出隅側に収納開口を備えた収納家具を組み合せて、曲がり部を形成するものである。これにより、コ−ナ−配列部に対して、活用性の高い収納空間を提供し、かつ個々の収納家具部材を簡素にして、コ−ナ−部の形状に応じて組み合せ自在にするものであり、例えば、工場生産によるユニット部材方式を用いた住宅建築躯体の間仕切り壁を用いた収納庫室等にも適用できる。
【図面の簡単な説明】
【００６９】
【図１】本発明の実施の形態１における収納家具配列の平面断面図
【図２】同実施の形態の要部詳細平面図
【図３】本発明の実施の形態２における収納家具配列の上方外観斜視図
【図４】同実施の形態の平面断面図
【図５】同実施の形態の平面分解図
【図６】本発明の実施の形態３における収納家具配列の平面断面図
【図７】本発明の実施の形態４における収納家具配列の平面断面図
【図８】同実施の形態の要部詳細平面図
【図９】従来の収納家具配列の上方外観斜視図
【図１０】従来の収納家具配列の平面図
【符号の説明】
【００７０】
１５、２１、２２、３１、３３  コ−ナ−用収納家具
１５ｄ、２２ｅ  収納開口
１５ｅ  扉
【図１】
2005168867.tif 000003
【図２】
2005168867.tif 000004
【図３】
2005168867.tif 000005
【図４】
2005168867.tif 000006
【図５】
2005168867.tif 000007
【図６】
2005168867.tif 000008
【図７】
2005168867.tif 000009
【図８】
2005168867.tif 000010
【図９】
2005168867.tif 000011
【図１０】
2005168867.tif 000012